(57)【要約】【課題】副情報の確実な復元が可能になり、色差情報として副情報を埋め込む電子透かし技術を適用した合成画像情報を記録した記録媒体の真偽判定が確実かつ精度よく行なえる画像処理装置および画像処理方法を提供する。【解決手段】可視状態の主画像情報に対して付加的な副情報を不可視状態で埋め込むことで作成した合成画像情報が記録面に可視状態で記録されている記録媒体から前記合成画像情報を読取り、この読取った合成画像情報から前記副情報を復元する際、記録面にあらかじめ存在するプレ印刷された文字や模様などの情報を削除してから副情報を復元する。【選択図】    図１
2005012438.tif 000002
【特許請求の範囲】
【請求項１】
可視状態の主画像情報に対して不可視状態で副情報を埋め込むことによって作成した合成画像情報が、あらかじめ所定の情報が存在する記録面に可視状態で記録されている記録媒体から前記記録面に記録されている前記合成画像情報を読取り、この読取った合成画像情報から前記副情報を復元する画像処理装置において、
前記合成画像情報が前記記録面に記録されていない前記記録媒体の前記記録面に存在する所定の情報をあらかじめ保持している記録面情報保持手段と、
前記合成画像情報が記録された前記記録媒体の記録面上の画像を読取り入力する画像入力手段と、
この画像入力手段により入力された画像情報から前記記録面情報保持手段に保持されている所定の情報と対応する情報を削除し前記合成画像情報のみを取得する記録面情報削除手段と、
この記録面情報削除手段により得られた合成画像情報から前記副情報を復元する副情報復元手段と、
を具備したことを特徴とする画像処理装置。
【請求項２】
前記副情報復元手段により復元された副情報に基づき前記記録媒体の真偽を判定する真偽判定手段をさらに具備したことを特徴とする請求項１記載の画像処理装置。
【請求項３】
可視状態の主画像情報に対して不可視状態で副情報を埋め込むことによって作成した合成画像情報が、あらかじめ所定の情報が存在する記録面に可視状態で記録されている記録媒体から前記記録面に記録されている前記合成画像情報を読取り、この読取った合成画像情報から前記副情報を復元し、前記記録媒体の真偽を判定する画像処理装置において、
前記合成画像情報が前記記録面に記録されていない前記記録媒体の前記記録面に存在する所定の情報を読取り入力する第１の画像入力手段と、
この第１の画像入力手段により入力された前記記録面上の所定の情報を保持する記録面情報保持手段と、
前記合成画像情報が記録された前記記録媒体の記録面上の画像を読取り入力する第２の画像入力手段と、
この第２の画像入力手段により入力された画像情報と前記記録面情報保持手段に保持された所定の情報との間で所定の演算を行なうことにより、前記第２の画像入力手段により入力された画像情報から前記記録面情報保持手段に保持されている所定の情報と対応する情報を削除し前記合成画像情報のみを取得する記録面情報削除手段と、
この記録面情報削除手段により得られた合成画像情報から前記副情報を復元する副情報復元手段と、
この副情報復元手段により復元された副情報に基づき前記記録媒体の真偽を判定する真偽判定手段と、
を具備したことを特徴とする画像処理装置。
【請求項４】
前記記録媒体の記録面にあらかじめ存在する所定の情報とは文字、模様、透かしパターンなどであることを特徴とする請求項１または請求項３記載の画像処理装置。
【請求項５】
前記記録媒体は通帳類であり、この通帳類の記録面の頁および当該記録面の頁の裏頁にそれぞれ文字、模様、透かしパターンなどがあらかじめ存在することを特徴とする請求項１または請求項３記載の画像処理装置。
【請求項６】
さらに、前記通帳類の記録面の頁の次頁には文字、模様、透かしパターンなどがあらかじめ存在することを特徴とする請求項５記載の画像処理装置。
【請求項７】
可視状態の主画像情報に対して不可視状態で副情報を埋め込むことによって作成した合成画像情報が、あらかじめ所定の情報が存在する記録面に可視状態で記録されている記録媒体から前記記録面に記録されている前記合成画像情報を読取り、この読取った合成画像情報から前記副情報を復元する画像処理方法において、
前記合成画像情報が記録された前記記録媒体の記録面上の画像を読取り入力する画像入力ステップと、
この画像入力ステップにより入力された画像情報から、前記合成画像情報が前記記録面に記録されていない前記記録媒体の前記記録面に存在する所定の情報をあらかじめ保持している記録面情報保持手段に保持されている前記所定の情報と対応する情報を削除し前記合成画像情報のみを取得する記録面情報削除ステップと、
この記録面情報削除ステップにより得られた合成画像情報から前記副情報を復元する副情報復元ステップと、
を具備したことを特徴とする画像処理方法。
【請求項８】
可視状態の主画像情報に対して不可視状態で副情報を埋め込むことによって作成した合成画像情報が、あらかじめ所定の情報が存在する記録面に可視状態で記録されている記録媒体から前記記録面に記録されている前記合成画像情報を読取り、この読取った合成画像情報から前記副情報を復元し、前記記録媒体の真偽を判定する画像処理方法において、
前記合成画像情報が前記記録面に記録されていない前記記録媒体の前記記録面に存在する所定の情報を読取り入力する第１の画像入力ステップと、
この第１の画像入力ステップにより入力された前記記録面上の所定の情報を記録面情報保持手段に保持する記録面情報保持ステップと、
前記合成画像情報が記録された前記記録媒体の記録面上の画像を読取り入力する第２の画像入力ステップと、
この第２の画像入力ステップにより入力された画像情報と前記記録面情報保持手段に保持された所定の情報との間で所定の演算を行なうことにより、前記第２の画像入力ステップにより入力された画像情報から前記記録面情報保持手段に保持されている所定の情報と対応する情報を削除し前記合成画像情報のみを取得する記録面情報削除ステップと、
この記録面情報削除ステップにより得られた合成画像情報から前記副情報を復元する副情報復元ステップと、
この副情報復元ステップにより復元された副情報に基づき前記記録媒体の真偽を判定する真偽判定ステップと、
を具備したことを特徴とする画像処理方法。
【発明の詳細な説明】
【０００１】
【発明の属する技術分野】
本発明は、たとえば、可視状態の主画像情報（人物の顔画像など）に対して別の付加的な副情報（セキュリティ情報など）を不可視状態で埋め込み合成して作成した合成画像情報が、あらかじめ文字や模様、透かしパターンなどの所定の情報が存在する記録面に可視状態で記録されている記録媒体から前記記録面に記録されている合成画像情報を読取り、この読取った合成画像情報から前記副情報を復元し、前記記録媒体の真偽を判定する画像処理装置および画像処理方法に関する。
【０００２】
【従来の技術】
近年、情報の電子化やインターネットの普及に伴って、画像の偽造や変造防止のために電子透かし、電子署名などの技術が重要視されるようになってきた。特に、主画像情報に付加的な副情報（副画像情報）を不可視状態で埋め込む電子透かし技術は、ＩＤカードなどの個人認証媒体や著作権情報を埋め込んだ写真に対する不正コピー、偽造、改ざん対策として提案されている。
【０００３】
たとえば、印刷物へ出力される画像データに対して、人間が感知しにくい高い空間周波数成分および色差成分の特性を利用してデータを埋め込む電子透かし挿入方法が知られている（たとえば、特許文献１参照）。
【０００４】
また、光学フィルタで確認できる電子透かしの印刷装置が知られている（たとえば、特許文献２参照）。
【０００５】
上記特許文献による電子透かし埋め込み処理方式では、
（１）  人間の視覚特性を利用
・画像の周波数が高くなるほど階調識別能力が低下
・輝度情報よりも色差情報の方が判別困難
（２）  補色の関係  例…赤色＋シアン色＝無彩色（白）（加法混色の場合）
（３）  高周波キャリアパターン画像に補色の関係および色差情報を適用（色差変調処理）
を用いることにより、画質劣化を招くことなく、主画像情報に副情報を不可視状態で埋め込むことが可能になっている。
【０００６】
上記（２）の例でいえば、赤色とシアン色（＝緑色＋青色）は、加法混色の場合  、補色の関係にあり、赤色とシアン色とが隣り合っていても人間の目には判別しにくく無彩色に見える。
【０００７】
上記（３）の例のように、高周波キャリアパターン画像を用いることで、赤色リ  ッチな画素とシアン色リッチな画素とが繰り返し配置されているため、人間の目ではこれらの細かな色差の違いを識別できず、色差量はプラスマイナス「０」と判断してしまう人間の視覚特性を利用している。
【０００８】
もし、上記電子透かし技術を適用した画像が記録された印刷物の真偽判定が必要になった場合は、上記特許文献などに記載されている復元処理を鍵情報を利用して行なうことによって、不可視状態で記録されていた副情報を復元し、真偽判定が行われる。
【０００９】
すなわち、まず、スキャナやデジタルカメラなどの入力デバイスを用いて、カードなどの記録媒体に記録された色差情報として副情報を埋め込んだ合成画像情報をデジタル情報として読取る。次に、鍵情報の特定周波数の情報に応じた周波数成分を有するデジタルフィルタを合成画像情報に施すことにより、色差情報として埋め込まれた副情報を復元する。最後に、復元により得られた結果から真偽判定を行なうものである。
【００１０】
【特許文献１】
特開平９−２４８９３５号公報
【００１１】
【特許文献２】
特開２００１−２６８３４６号公報
【００１２】
【発明が解決しようとする課題】
しかしながら、上記した従来の方法では、模様や文字のプレ印刷などに代表される、記録媒体にあらかじめ設けられている画像情報と、色差情報として副情報を埋め込む電子透かし技術を適用した合成画像情報とが重なっている場合、スキャナなどで合成画像情報をデジタル情報として読取り、読込んだデジタル情報（合成画像情報）から副情報を復元すると、あらかじめ設けられた画像情報も一緒に読込んでしまうため、あらかじめ設けられた画像情報が雑音となり、そのため色差情報が乱され、副情報の正確な復元ができないという課題がある。
【００１３】
そこで、本発明は、副情報の確実な復元が可能になり、色差情報として副情報を埋め込む電子透かし技術を適用した合成画像情報を記録した記録媒体の真偽判定が確実かつ精度よく行なえる画像処理装置および画像処理方法を提供することを目的とする。
【００１４】
【課題を解決するための手段】
本発明の画像処理装置は、可視状態の主画像情報に対して不可視状態で副情報を埋め込むことによって作成した合成画像情報が、あらかじめ所定の情報が存在する記録面に可視状態で記録されている記録媒体から前記記録面に記録されている前記合成画像情報を読取り、この読取った合成画像情報から前記副情報を復元する画像処理装置において、前記合成画像情報が前記記録面に記録されていない前記記録媒体の前記記録面に存在する所定の情報をあらかじめ保持している記録面情報保持手段と、前記合成画像情報が記録された前記記録媒体の記録面上の画像を読取り入力する画像入力手段と、この画像入力手段により入力された画像情報から前記記録面情報保持手段に保持されている所定の情報と対応する情報を削除し前記合成画像情報のみを取得する記録面情報削除手段と、この記録面情報削除手段により得られた合成画像情報から前記副情報を復元する副情報復元手段とを具備している。
【００１５】
また、本発明の画像処理方法は、可視状態の主画像情報に対して不可視状態で副情報を埋め込むことによって作成した合成画像情報が、あらかじめ所定の情報が存在する記録面に可視状態で記録されている記録媒体から前記記録面に記録されている前記合成画像情報を読取り、この読取った合成画像情報から前記副情報を復元する画像処理方法において、前記合成画像情報が記録された前記記録媒体の記録面上の画像を読取り入力する画像入力ステップと、この画像入力ステップにより入力された画像情報から、前記合成画像情報が前記記録面に記録されていない前記記録媒体の前記記録面に存在する所定の情報をあらかじめ保持している記録面情報保持手段に保持されている前記所定の情報と対応する情報を削除し前記合成画像情報のみを取得する記録面情報削除ステップと、この記録面情報削除ステップにより得られた合成画像情報から前記副情報を復元する副情報復元ステップとを具備している。
【００１６】
【発明の実施の形態】
以下、本発明の実施の形態について図面を参照して説明する。
図１は、本発明の実施の形態に係る画像処理装置の構成を概略的に示すものである。この画像処理装置は、大きく分けて画像入力手段としての画像入力装置１１、各種処理を行なう計算機１２、および、これら画像入力装置１１と計算機１２とを通信可能に接続する双方向通信手段１３によって構成されている。
【００１７】
画像入力装置１１は、たとえば、フラットベットスキャナやデジタルカメラなどで構成されていて、人間の肉眼で可視状態の主画像情報に対して人間の肉眼で不可視状態で副情報を埋め込むことによって作成した合成画像情報が記録面に可視状態で記録されている記録媒体Ｍの記録面上の画像情報を光学的な走査により読取り、デジタル画像情報に変換するものであり、本例では光学解像度が１２００ｄｐｉ、読取解像度が１２００ｄｐｉのラインスキャナとした。
【００１８】
ここに、記録媒体Ｍの記録面には、あらかじめ文字や地紋などの模様などの所定の情報がプレ印刷されているものとする。なお、プレ印刷された情報に限らず、あらかじめ透かしパターンが形成されている場合や、それらの両方があらかじめ存在する場合もある。
【００１９】
計算機１２は、画像入力装置１１によって入力された画像情報を一時保持する一時保持手段１４、記録媒体Ｍの記録面にプレ印刷された文字や模様などの所定の情報をあらかじめ保持している記録面情報保持手段としてのルックアップテーブル１５、画像入力装置１１により入力された画像情報からルックアップテーブル１５に保持されている所定の情報と対応する情報を削除し合成画像情報のみを取得する記録面情報削除手段１６、記録面情報削除手段１６により得られた合成画像情報から副情報を復元する副情報復元手段１７、および、副情報復元手段１７により復元された副情報に基づき記録媒体Ｍの真偽を判定する真偽判定手段１８によって構成されている。
【００２０】
ここに、計算機１２は、たとえば、パーソナルコンピューター（以降、単にパソコンと略称する）であってもよいし、ＣＰＵ、半導体メモリ、ハードディスク装置、画像キャプチャーボードなどから構成される専用のボードであってもよく、本例ではパソコンとした。
【００２１】
なお、本実施の形態における記録面情報削除手段１６、副情報復元手段１７および真偽判定手段１８は、パソコンで動作するアプリケーションプログラムの一部によって構成されている。また、一時保持手段１４は、パソコン内のハードディスク装置あるいは半導体メモリであり、ルックアップテーブル１５は、パソコン内のハードディスク装置あるいは半導体メモリに設けられている。
【００２２】
双方向通信手段１３は、たとえば、ＵＳＢ、ＳＣＳＩなどの信号を双方向に通信できる手段であれば何でもよく、本例ではＵＳＢ２．０とした。
【００２３】
次に、このような構成において図１の動作を説明する。
まず、合成画像情報が記録されていない状態の記録媒体Ｍの記録面に存在するプレ印刷などの所定の情報をルックアップテーブル１５に保持する。すなわち、合成画像情報が記録されていない状態の記録媒体Ｍを画像入力装置１１の読取部にセットすることにより、画像入力装置１１から記録媒体セットを示す信号が計算機１２へ送信される。
【００２４】
計算機１２は、画像入力装置１１から記録媒体セットを示す信号を受信すると、画像入力装置１１に対し読取開始信号を送信する。これにより、画像入力装置１１は、セットされた記録媒体Ｍの記録面に対し画像情報の読取りを開始し、読取った記録面の画像情報をデジタル情報に変換し、計算機１２へ送信する。
【００２５】
計算機１２は、画像入力装置１１から送信されたデジタル情報を一時保持手段１４に格納する。そして、記録面の読取りが終了すると、画像入力装置１１は、読取終了信号を計算機１２へ送信する。計算機１２は、画像入力装置１１から送信された読取終了信号を受信すると、一時保持手段１４に格納したデジタル情報、すなわち、合成画像情報が記録されていない記録媒体Ｍの記録面の画像情報（プレ印刷された文字や模様など）をルックアップテーブル１５に格納する。
【００２６】
このようにして、合成画像情報が記録されていない記録媒体Ｍの記録面の画像情報をルックアップテーブル１５に格納した後、合成画像情報からの副情報の復元処理を行なう。
すなわち、まず、顔画像などの主画像情報にセキュリティ情報などの副情報を不可視状態で埋め込んだ合成画像情報が記録された記録媒体Ｍを画像入力装置１１の読取部にセットすることにより、画像入力装置１１から記録媒体セットを示す信号が計算機１２へ送信される。
【００２７】
計算機１２は、画像入力装置１１から記録媒体セットを示す信号を受信すると、画像入力装置１１に対し読取開始信号を送信する。これにより、画像入力装置１１は、セットされた記録媒体Ｍの記録面に対し画像情報の読取りを開始し、読取った記録面の画像情報をデジタル情報に変換し、計算機１２へ送信する。
【００２８】
計算機１２は、画像入力装置１１から送信されたデジタル情報を一時保持手段１４に格納する。そして、記録面の読取りが終了すると、画像入力装置１１は、読取終了信号を計算機１２へ送信する。計算機１２は、画像入力装置１１から送信された読取終了信号を受信すると、記録面情報削除手段１６による記録面情報削除処理ルーチンを実行する。
【００２９】
すなわち、記録面情報削除処理では、たとえば、一時保持手段１４に一時保持した画像情報からルックアップテーブル１５に保持されている合成画像情報が記録されていない記録面のデジタル情報を減算することにより、一時保持手段１４に一時保持した画像情報から合成画像情報が記録されていない記録面の画像情報を削除し、合成画像情報のみを取得する。
【００３０】
次に、計算機１２は、記録面情報削除処理ルーチンを終了すると、副情報復元手段１７による副情報復元処理ルーチンを実行する。副情報復元処理は、たとえば、デジタルバンドパスフィルタ処理により行なわれる。すなわち、本実施の形態で用いている色差情報として副情報を埋め込む電子透かし技術は、高周波キャリアパターン画像に色差情報を重畳することにより副情報を埋め込んでいるため、キャリアパターンの周波数のみを通すバンドパスフィルタ処理により副情報を復元することができる。
【００３１】
なお、復元された副情報は、文字、数字や記号などの人間が判別できる画像情報であっても、２次元バーコードのようなコード情報であってもよい。
【００３２】
次に、計算機１２は、副情報復元処理ルーチンを終了すると、真偽判定手段１８による真偽判定処理ルーチンを実行する。すなわち、真偽判定処理では、副情報が文字や記号などの場合は文字認識、パターン認識処理を行なった後、その認識結果を図示しない表示手段に表示するとともに、当該認識結果の真偽を判定することにより、記録媒体Ｍの真偽判定を行なう。
【００３３】
また、副情報がバーコード情報である場合は、バーコード情報のデコード処理を行なった後、デコード情報を図示しない表示手段に表示するとともに、当該デコード情報の真偽を判定することにより、記録媒体Ｍの真偽判定を行なう。
【００３４】
次に、本発明に係る記録媒体Ｍおよび記録媒体Ｍの記録面について図を用いて説明する。
図２は、第１の記録媒体Ｍ１の一例を示している。第１の記録媒体Ｍ１は、たとえば、有価証券のような紙媒体である。図２（ａ）に示すように、記録媒体Ｍ１の記録面（表面）には星模様２１があらかじめプレ印刷されているとともに、図２（ｂ）に示すように、記録媒体Ｍ１の裏面には文字２２があらかじめプレ印刷されている。この例では、星模様２１と重なる部分に副情報を埋め込んだ合成画像情報を記録して使用されるものとする。
【００３５】
通常、合成画像情報と星模様２１や裏面の文字２２などのプレ印刷とが重なってしまう場合、合成画像情報から副情報を復元する際に、プレ印刷の画像情報が雑音となり、副情報の復元が困難になる。
【００３６】
なお、図２において、２１ａは表面側から透けて見える裏面側の文字２２を示し、２２ａは裏面側から透けて見える表面側の星模様２１を示している。
【００３７】
図３は、第２の記録媒体Ｍ２の一例を示している。第２の記録媒体Ｍ２は、たとえば、紙媒体が束ねられた通帳類である。通帳類Ｍ２の記録面２４には星模様２３があらかじめプレ印刷されている。この例では、星模様２３と重なる部分に副情報を埋め込んだ合成画像情報を記録して使用されるものとする。
【００３８】
また、図４に示すように、星模様２３がプレ印刷された記録面２４の次の記録面２５にも花模様２６があらかじめプレ印刷されていて、記録面２４と記録面２５とを重ね合わせたとき、記録面２４側から記録面２５側の花模様２６が透けて見えてしまうような紙媒体を使用している。なお、図４において、２６ａは記録面２４側から透けて見える記録面２５側の花模様２６を示している。
【００３９】
このような通帳Ｍ１でも、合成画像情報から副情報を復元する際に、プレ印刷の画像情報が雑音となり、副情報の復元が困難になる。
【００４０】
次に、ルックアップテーブル１５と記録面情報削除処理について図を用いて更に詳細に説明する。
【００４１】
本実施の形態では、たとえば、図２のような記録媒体Ｍ１の記録面上に、色差情報として不可視に副情報を主画像情報に埋め込んだ合成画像情報や文字情報などを記録したものを対象としており、その一例を図５に示す。図５（ａ）は合成画像情報や文字情報を記録する前の記録媒体Ｍ１を示しており、星模様２１がプレ印刷されている。図５（ｂ）に示すように、プリンタなどにより星模様２１上に合成画像情報２７を、その隣に文字情報２８を記録して本実施の形態で対象にしている記録媒体Ｍ１となる。
【００４２】
次に、図５（ｂ）の合成画像情報２７の部分に着目し、説明をする。図６は、画像入力装置１１により入力した合成画像情報、および、この入力された合成画像情報のインク色濃度を説明する図である。図６（ａ）のように、画像入力装置１１により入力した合成画像情報２７は、記録媒体Ｍ１のプレ印刷である星模様２１の情報も読込んでおり、本来の合成画像情報２７とプレ印刷情報２１とが重なり合った画像情報となっている。図６（ｂ）は星模様１２の情報がないときの合成画像情報２７を示している。さらに、図６（ｃ）はプレ印刷情報２１を示している。
【００４３】
図６（ｂ）に示すように、星模様２１が存在しないときの合成画像情報２７の黒丸部２７ａのインク色濃度は、図６（ｄ）に示すような状態になっているとする。ここで、図中のＣ、Ｍ、Ｙは、それぞれシアンインク、マゼンタインク、イエローインクの色濃度を示しており、その高さは濃度の濃さを示している。また、図６（ｃ）に示すように、星模様２１の黒丸部２１ａのインク色濃度は、図６（ｅ）に示すような状態になっているものとする。
【００４４】
図６（ａ）に示すように、星模様２１が重なってしまっている合成画像情報２７の黒丸部２９ａのインク色濃度は、図６（ｄ）、図６（ｅ）の色濃度を加算した色濃度となり、図６（ｆ）のようになる。
【００４５】
図６に示すように、プレ印刷である星模様２１の色濃度情報がわかっていれば、合成画像情報２７から星模様１２の色濃度を差し引くことにより、合成画像情報２７から星模様２１が重なっていない合成画像情報２７を再生することができる。これにより、合成画像情報から副情報の復元を確実に行なうことができ、記録媒体Ｍの真偽判別を確実かつ高精度に行なうことができる。
【００４６】
以上説明したように、記録面情報削除手段１６による記録面情報削除処理から得られる画像情報Ｄ′ｉｊは、下記式（１）のように、画像入力装置１１により入力された合成画像情報Ｄｉｊからプレ印刷情報Ｐｉｊを減算することにより得られる。ここで、ｉｊは画像情報の位置情報を表わしている。
【００４７】
Ｄ′ｉｊ＝Ｄｉｊ−Ｐｉｊ      ……（１）
図６では概念的な説明のみを行なったが、プレ印刷情報と合成画像情報との重なり部分の色濃度は単純な足し算にならず、画像入力装置１１により入力された合成画像情報のインク色濃度によって変化する。すなわち、下記式（２）のように、プレ印刷の画像情報Ｐｉｊは画像入力装置１１により入力された合成画像情報のインク色濃度の関数として表わすことができる。
【００４８】
Ｐｉｊ＝ｆ（Ｄｉｊ）          ……（２）
上記式（２）が数式により記述できる場合は非常に希であり、実際は実験によりＰｉｊを求めなければならないことが非常に多い。そのため、プレ印刷の画像情報Ｐｉｊは、ルックアップテーブル１５として保持することが必要となる。
【００４９】
ここで、画像入力装置１１から計算機１２に送られるデジタル情報は、レッド（Ｒ）、グリーン（Ｇ）、ブルー（Ｂ）の３種類の色情報に分割され、それぞれ８ビットである場合が多い。つまり、プレ印刷情報は８ビットが３種類であるため、２４ビット（１６７７７２１６種類）分の画像情報が必要になることになる。２４ビットの画像情報を実験により求めることは現実的ではないため、本実施の形態では、Ｒ，Ｇ，Ｂの各色をそれぞれ３ビット程度として、合計９ビット（５１２）分の画像情報を実験により求め、残り１５ビット分は、９ビットの画像情報を使って数値計算を行ない、補間した。
【００５０】
【発明の効果】
以上詳述したように本発明によれば、副情報の確実な復元が可能になり、色差情報として副情報を埋め込む電子透かし技術を適用した合成画像情報を記録した記録媒体の真偽判定が確実かつ精度よく行なえる画像処理装置および画像処理方法を提供できる。
【図面の簡単な説明】
【図１】本発明の実施の形態に係る画像処理装置の構成を概略的に示すブロック図。
【図２】第１の記録媒体の説明図。
【図３】第２の記録媒体としての通帳の説明図。
【図４】第２の記録媒体としての通帳の説明図。
【図５】電子透かしを適用した合成画像情報を記録媒体の記録面上に記録した状態を説明する図。
【図６】画像入力装置により入力した画像情報およびこの入力された画像情報のインク色濃度を説明する図。
【符号の説明】
Ｍ…記録媒体、Ｍ１…紙媒体、Ｍ２…通帳類、１１…画像入力装置（画像入力手段）、１２…計算機、１３…双方向通信手段、１４…一時保持手段、１５…ルックアップテーブル（記録面情報保持手段）、１６…記録面情報削除手段、１７…副情報復元手段、１８…真偽判定手段、２１，２３…記録面のプレ印刷情報（星模様）、２２…裏面のプレ印刷情報（文字）、２４…記録面、２５…記録面頁の次頁、２６…記録面頁の次頁のプレ印刷情報（花模様）、２７…合成画像情報、２８…文字情報。
【図１】
2005012438.tif 000003
【図２】
2005012438.tif 000004
【図３】
2005012438.tif 000005
【図４】
2005012438.tif 000006
【図５】
2005012438.tif 000007
【図６】
2005012438.tif 000008